(57)【要約】【課題】現場での取り付け作業に依存することなく、建物側への雨水の浸入を確実に防止して、建物の劣化を抑えることができるようにすること。【解決手段】シャッター１は、上枠１１と、下枠１２と、上枠１１よりも上方へ延長された左右の縦枠１３と、左右の縦枠１３の上端部同士を接続するルーフ板１５とを有する枠体１０と、上枠１１とルーフ板１５との間に配置されるシャッター本体２０とを備える。シャッター本体２０は、スラット２４を巻き上げ下げするを収納するシャッターボックス３０とを備える。シャッターボックス３０の上板３１とルーフ板１５との間には、この隙間を塞ぐシール部材４０が取り付けられる。シール部材４０は、その基端側がルーフ板１５の下面に取り付けられ、その先端側がシャッターボックス３０の上板３１の室外側端部３１Ａに当接する。【選択図】  図３
2005344330.tif 000002
【特許請求の範囲】
【請求項１】
上枠と、下枠と、前記上枠よりも上方へ延長された左右の縦枠と、前記左右の縦枠の上端部同士を接続するルーフ板とを有する枠体と、前記枠体における前記上枠と前記ルーフ板との間に配置されるシャッター本体とを備えるシャッターであって、
前記シャッター本体は、スラットを巻き上げ下げするシャッター巻取部を収納するシャッターボックスを有し、
前記シャッターボックスの上板の上面と前記ルーフ板の下面との間を塞ぐシール部材が取り付けられていることを特徴とするシャッター。
【請求項２】
前記シール部材は、その基端側が前記ルーフ板の下面に取り付けられ、かつ、その先端側が前記シャッターボックスの上板の室外側端部に当接することを特徴とする請求項１に記載のシャッター。
【請求項３】
前記シール部材は、その基端側が前記ルーフ板の下面に取り付けられ、かつ、その先端側が前記シャッターボックスの上板の上面に当接し、
前記シャッターボックスの上板における、少なくとも前記シール材の当接部分よりも室外側の部分には、室外側方向に向けて下向きに傾斜する傾斜面が形成されていることを特徴とする請求項１に記載のシャッター。
【請求項４】
前記上枠には、室外側方向に向けて下向きに傾斜する傾斜面が形成されていることを特徴とする特徴とする請求項１〜請求項３のいずれかに記載のシャッター。
【発明の詳細な説明】
【技術分野】
【０００１】
本発明は、シャッターに関し、特に、建物側への雨水の浸入を確実に防止できるシャッターに関する。
【背景技術】
【０００２】
近年、建物を構成する壁体の開口には、開口部を屋外側から覆うシャッターが取り付けられる場合が多い。このようなシャッターとしては、例えば特許文献１に示すものがある。図６は、従来のシャッターの要部を示す縦断面図である。図６に示すように、従来のシャッター１００は、上枠１１と、下枠（図示略）と、上枠１１よりも上方へ延長された左右の縦枠（図示略）と、左右の縦枠の上端部同士を接続するルーフ板１５とを有する枠体１０を備えている。枠体１０における上枠１１と下枠１２との間には、ガラス障子や網戸等が取り付けられる。また、枠体１０にける上枠１１とルーフ板１５との間には、スラット２４を巻き上げ下げするシャッター巻取部２２と、シャッター巻取部２２を収納するシャッターボックス３０とを有するシャッター本体２０が配置されている。
【特許文献１】特開２００４−１９１３８号公報
【発明の開示】
【発明が解決しようとする課題】
【０００３】
このようなシャッター１００では、例えば、スラット２４を閉じた状態で、室外側（図６中の右側）から風雨が吹き上がるように吹き付けられて、この風雨による雨水がシャッター本体２０側へ吹き上げられると、矢印Ａに示すように、吹き上げられた雨水が、ルーフ板１５とシャッターボックス３０との間からシャッターボックス３０の室内側（図６中の左側）へ回り込んで建物の壁体側に浸入する可能性がある。また、場合によっては、この雨水がシャッターボックス３０の下側のガラス障子・網戸に浸入する可能性もある。このように浸入した雨水は建物壁体の劣化や、ガラス障子や網戸等の汚損の原因となる。特に、壁体を軽量気泡コンクリート（ＡＬＣ：autoclaved lightweight concrete）パネルで構成した場合には、一般的には、枠体がＡＬＣパネルにボルトで取り付けられるため、このボルトを伝ってＡＬＣパネルの内部まで雨水が入りこみ、ＡＬＣパネルが水分を吸収して、壁体の断熱性や遮音性等が著しく低下するため問題となる。
そこで、従来は、建物の壁体の開口にシャッター１００を取り付ける際に、枠体１０の室内側、すなわち枠体１０と壁体との間に鋼板やシート等のシール部材を貼付して、このシール部材により雨水が壁体側へ浸入するのを防止している。
【０００４】
しかしながら、取り付け作業者の熟練度等によっては、シール部材の貼り方が不十分であったり、シール部材の貼りつけ自体を忘れてしまう場合があり、これらの場合には建物側へ雨水が浸入して、建物を劣化させる可能性がある。
本発明の目的は、現場での取り付け作業に依存することなく、建物側への雨水の浸入を確実に防止して、建物の劣化を抑えることができるシャッターを提供することにある。
【課題を解決するための手段】
【０００５】
本発明は、上枠と、下枠と、前記上枠よりも上方へ延長された左右の縦枠と、前記左右の縦枠の上端部同士を接続するルーフ板とを有する枠体と、前記枠体における前記上枠と前記ルーフ板との間に配置されるシャッター本体とを備えるシャッターであって、前記シャッター本体は、スラットを巻き上げ下げするシャッター巻取部を収納するシャッターボックスを有し、前記シャッターボックスの上板の上面と前記ルーフ板の下面との間を塞ぐシール部材が取り付けられていることを特徴とする。
【０００６】
本発明によれば、スラットを閉じた状態で風雨が吹き上がるように吹き付けられ、この風雨による雨水がシャッターボックス内に吹き上げられたとしても、シャッターボックスの上板の上面とルーフ板の下面との間を塞ぐシール部材を設けたので、上板とルーフ板との隙間から建物側へ雨水が浸入することがない。また、従来のように、シャッターと建物との間にシール部材を配置する構成ではなく、上板とルーフ板との間にシール部材を配置する構成としたので、例えば、製造工場等で予め枠体にシール部材を取り付けておくことができ、この場合には、シール部材の取り付け作業を現場で行う必要がない。従って、現場での取り付け作業に依存することなく、建物側への雨水の浸入を確実に防止して、建物の劣化を抑えることができる。
【０００７】
ここで、前記シール部材は、その基端側が前記ルーフ板の下面に取り付けられ、かつ、その先端側が前記シャッターボックスの上板の室外側端部に当接する構成を採用できる。このような構成によれば、シャッターボックスの上板の室外側端部にシール部材の先端側が当接するため、吹き上げられた雨水が、シャッターボックスの上板上に浸入することがなく、建物側への雨水の浸入をより一層確実に防止できる。
【０００８】
また、前記シャッターにおいて、前記シール部材は、その基端側が前記ルーフ板の下面に取り付けられ、かつ、その先端側が前記シャッターボックスの上板の上面に当接し、前記シャッターボックスの上板における、少なくとも前記シール材の当接部分よりも室外側の部分には、室外側方向に向けて下向きに傾斜する傾斜面が形成されていてもよい。
このような構成によれば、吹き上げられた雨水が、上板のシール部材の当接部分まで浸入するが、シール部材によって堰き止められた後、上板の傾斜面を伝ってシャッターボックスの室外側へと排出される。このため、建物側への雨水の浸入を防止できる。
【０００９】
また、以上のシャッターにおいて、前記上枠には、室外側方向に向けて下向きに傾斜する傾斜面が形成されていてもよい。このような構成よれば、例えば、シャッターボックスの下方が開口しているような場合には、シャッターボックス内に浸入した雨水が上枠へと流れるが、雨水が上枠の傾斜面を伝ってシャッターボックスの室外側へと排出されるため、シャッターボックス内に雨水が滞ることがなく、シャッターボックス内が不衛生になったり、汚損したりすることを防止できる。
【発明の効果】
【００１０】
本発明のシャッターによれば、現場での取り付け作業に依存することなく、建物側への雨水の浸入を確実に防止して、建物の劣化を抑えることができるという効果がある。
【発明を実施するための最良の形態】
【００１１】
［第１実施形態］
本発明の第１実施形態に係るシャッターについて図面を参照して説明する。
図１は、本実施形態に係るシャッター１の縦断面図である。図２は、シャッター１の外観を示す分解斜視図である。図１に示すように、シャッター１は、建物２を構成し、断熱材が収納された壁体４の開口４Ａに取り付けられ、例えばアルミニウム押出形材等により構成された枠体１０を備えている。
【００１２】
図２に示すように、枠体１０は、上枠１１と、下枠１２と、上枠１１よりも上方へ延長された左右の縦枠１３と、左右の縦枠１３の上端部同士を接続するルーフ板１５とを備えている。図１に示すように、上枠１１と下枠１２との間には、壁体４の表面に沿って左右に摺動する、引き違いのガラス障子１６および網戸１８が取り付けられている。また、上枠１１の上面には、室外側方向に向けて下向きに傾斜する傾斜面１１Ａが形成されている。
【００１３】
図２に示すように、シャッター１は、上枠１１とルーフ板１５との間に配置されるシャッター本体２０を備えている。シャッター本体２０は、シャッター巻取部２２と、シャッター巻取部２２を収納するシャッターボックス３０とを備えている。図１に示すように、シャッター巻取部２２は、スラット２４と、スラット２４の巻き上げ下げを行うためのシャフト２６とを備えている。シャフト２６は、電動または手動により回転する。また、図２に示すように、左右の縦枠１３の内側には、各縦枠１３に沿ってガイドレール２８がそれぞれ設けられている。各ガイドレール２８によってスラット２４の左右端縁が案内され、スラット２４が上下に移動する。
【００１４】
シャッターボックス３０は、例えばアルミニウム等の材料で構成されている。図２に示すように、シャッターボックス３０は、上板３１と、下板３２と、裏板３３と、室外側上端の隅角部が切り欠かれた台形状の左右の側板３４とを備える箱状に構成されている。また、図１に示すように、シャッターボックス３０の室外側および下方は、取り付け時にシャッター巻取部２２を出し入れするために開放され、図２に示す如く、室外側からシャッター巻取部２２が露出しないように、シャッターボックス３０の室外側面を覆うカバー板３５が取り付けられている。また、シャッターボックス３０の左右の側板３４が露出しないように、シャッターボックス３０の両側面を覆うサイドキャップ３６がそれぞれ取り付けられている。
【００１５】
図３は、図１の要部を拡大して示す縦断面図である。図３に示すように、ルーフ板１５の室外側（図３の左側）の下面には、両側の縦枠１３（図２）の間に亘って延びる溝部１５Ａが形成されている。溝部１５Ａには、例えばゴム製のシール部材４０が取り付けられている。シール部材４０は、その基端側を溝部１５Ａに取り付けるための取付部４２と、取付部４２から下方へ突出し、その途中で室外側（図３中の左側）へ曲折した部分を有するシール本体４４とにより構成されている。シール本体４４の先端側は、シャッターボックス３０の上板３１の室外側端部３１Ａに当接している。このため、シール部材４０によってルーフ板１５の下面と上板３１の上面との隙間が塞がれている。
【００１６】
以上のようなシャッター１において、例えば、スラット２４を閉じた状態でスラット２４に対して風雨が吹き付けると、雨水がシャッターボックス３０へと吹き上げられることがある。この場合、吹き上げられた雨水は、シャッターボックス３０の開放部を通って、図３の矢印Ｂに示すように浸入する。本実施形態では、ルーフ板１５と上板３１との隙間にシール部材４０を設けたので、浸入した雨水は、このシール部材４０によって堰き止められる。このため、浸入した雨水は、ルーフ板１５と上板３１との隙間には浸入せずに、室外側へ曲折したシール本体４４を伝ってシャッターボックス３０の室外側へ排出される。また、図１の矢印Ｃに示すように、吹き上げられた雨水が、シャッターボックス３０と上板３１との間からシャッターボックス３０の中に浸入した場合には、浸入した雨水は、裏板３３および側板３４（図２）によって堰き止められるため建物２の壁体４側へは浸入せず、裏板３３および側板３４を伝ってシャッターボックス３０の下方の開放部から上枠１１側に流れてくる。この流れてきた雨水は、上枠１１の上面の傾斜面１１Ａにより、シャッターボックス３０の室外側へ排出される。
【００１７】
このように本実施形態によれば、スラット２４を閉じた状態で雨水が吹き上げられたとしても、この雨水がシール部材４０によってシャッターボックス３０の外部へ排出されるため、ルーフ板１５と上板３１との隙間から建物２の壁体４側へ雨水が浸入するのを確実に防止でき、建物２の劣化を抑えることができる。また、従来のように、シャッター１と建物２との間ではなく、ルーフ板１５と上板３１との間にシール部材４０を配置するため、予め製造工場等でシール部材４０をルーフ板１５に取り付けておくことができる。このため、シャッター１の取り付け現場でシール部材４０を取り付ける必要がない。従って、現場での取り付け作業に依存することなく、シャッターボックス３０から建物側への雨水の浸入を確実に防止して、建物の劣化を抑えることができる。
【００１８】
また、上枠１１の上面に傾斜面１１Ａを形成したので、シャッターボックス３０内に浸入した雨水が上枠１１の傾斜面１１Ａを伝ってシャッターボックス３０の室外側へと排出される。このため、シャッターボックス３０内に雨水が滞ることがなく、シャッターボックス３０が不衛生になったり、汚損したりすることを防止できる。
【００１９】
［第２実施形態］
本発明の第２実施形態に係るシャッターについて説明する。図４は、本実施形態に係るシャッター５０の側面の一部を示す縦断面図である。図４に示すように、シャッター５０では、ルーフ板１５の壁体４側（図４の右側）の下面に、両側の縦枠１３（図２）の間に亘って延びる溝部１５Ｂが形成されている。溝部１５Ｂには、第１実施形態のシール部材４０と同じ構成のシール部材５１が取り付けられている。シール部材５１は、その基端側を溝部１５Ｂに取り付けるための取付部５２と、取付部４２から下方へ突出し、その途中で室外側へ曲折した部分を有するシール本体５４とにより構成されている。シール本体５４の先端側は、シャッターボックス３０の上板３１の上面に当接している。このため、シール部材５１によってルーフ板１５と上板３１との隙間が塞がれている。また、上板３１には、室外側方向（図４の左方向）に向けて下向きに傾斜する傾斜面３１Ｂが形成されている。
【００２０】
以上のようなシャッター５０において、例えば、スラット２４を閉じた状態でスラット２４に対して風雨が吹き付けて、雨水がシャッターボックス３０へと吹き上げられた場合には、図４の矢印Ｄに示すように、吹き上げられた雨水は、シャッターボックス３０の上方から上板３１の後方まで浸入するが、ルーフ板１５と上板３１との間に設けられたシール部材５１によって堰き止められる。このため、雨水は、上板３１の傾斜面３１Ｂを伝ってシャッターボックス３０の室外側へと排出される。なお、シャッターボックス３０の中に浸入した雨水は、前記第１実施形態の場合と同様にして排出できる。
従って、本実施形態によれば、前記第１実施形態と同様に、取り付け作業に依存することなく、シャッターボックス３０から建物側への雨水の浸入を確実に防止して、建物の劣化を抑えることができるという効果を奏することができる。
【００２１】
なお、本発明は、前記各実施形態には限定されない。図５は、第１実施形態に係るシャッター１が、軽量発泡コンクリート製の壁体４の開口に取り付けられた状態を示す縦断面図である。図５に示すように、建物２の壁体４は、軽量発泡コンクリートパネルにより構成されている。シャッターボックス３０は、軽量発泡コンクリート製の壁体４にボルト６１で取り付けられているため、シャッターボックス３０の裏面側、すなわち壁体４側まで雨水が浸入した場合には、ボルト６１を伝って壁体４の内部に雨水が入り込み易くなっている。しかしながら、前述したように、ルーフ板１５と上板３１との間にシール部材４０を設けたことにより、シャッターボックス３０の裏面側への雨水の浸入を防止できるので、前記第１実施形態に係るシャッター１を水分に弱い軽量発泡コンクリート製の壁体４に好適に使用できる。また、図５の場合と同様に、前記第２実施形態の壁体４を軽量発泡コンクリートで構成してもよい。このように、シャッター１，５０が取り付けられる壁体４の構成は、特に限定されない。
【００２２】
また、前記第１実施形態ではシール部材４０をルーフ板１５の室外側に取り付け、また、前記第２実施形態ではシール部材５１をルーフ板１５の壁体４側に取り付けたが、ルーフ板１５と上板３１とに当接するようにシール部材４０，５１を取り付けていれば、その取り付け位置は特に限定されない。また、ルーフ板１５の室外側と壁体４側の両方にシール部材４０，５１を取り付けてもよい。
また、前記各実施形態では、シール部材４０，５１を例えばゴム製としたが、その構成材料は特に限定されない。また、シール部材４０，５１を途中で曲折した形状としたが、その形状は特に限定されない。
【図面の簡単な説明】
【００２３】
【図１】本発明の第１実施形態に係るシャッターを示す縦断面図である。
【図２】前記シャッターの外観を示す分解斜視図である。
【図３】図１の要部を拡大して示す縦断面図である。
【図４】第２実施形態に係るシャッターの側面の一部を示す縦断面図である。
【図５】第１実施形態に係るシャッターが、軽量発泡コンクリート製の壁体の開口に取り付けられた状態を示す縦断面図である。
【図６】従来のシャッターの要部を示す縦断面図である。
【符号の説明】
【００２４】
１，５０      シャッター
１０      枠体
１１      上枠
１１Ａ，３１Ｂ      傾斜面
１２      下枠
１３      縦枠
１５      ルーフ板
１５Ａ，１５Ｂ      溝部
２０      シャッター本体
２２      シャッター巻取部
２４      スラット
３０      シャッターボックス
３１      上板
３１Ａ      室外側端部
４０，５１      シール部材
４２，５２      取付部
４４，５４      シール本体
【図１】
2005344330.tif 000003
【図２】
2005344330.tif 000004
【図３】
2005344330.tif 000005
【図４】
2005344330.tif 000006
【図５】
2005344330.tif 000007
【図６】
2005344330.tif 000008